(57)【特許請求の範囲】
【請求項１】
基板上に実装するタイプの表面実装用コネクタであって、前記基板に接続される端子部を有するコンタクトと、該コンタクトを保持するインシュレータとを含む表面実装用コネクタにおいて、前記インシュレータは、該インシュレータの長手方向の両端部におけるインシュレータ底面に、面取り部、段差部等の切除部を有し、前記インシュレータに変形が生じた場合に、前記切除部により、前記インシュレータ底面が前記基板から浮き上がらないように、かつ、前記基板と強く接触しないように構成したことを特徴とする表面実装用コネクタ。
【請求項２】
基板上に実装するタイプの表面実装用コネクタであって、前記基板に接続される端子部を有するコンタクトと、該コンタクトを保持するインシュレータとを含む表面実装用コネクタにおいて、前記インシュレータは、該インシュレータの長手方向の両端部におけるインシュレータ上面に、面取り部、段差部等の切除部を有し、前記インシュレータに変形が生じた場合に、前記切除部により、前記インシュレータ上面が前記インシュレータの他の部分よりも突出しないように構成したことを特徴とする表面実装用コネクタ。
【請求項３】
基板上に実装するタイプの表面実装用コネクタであって、前記基板に接続される端子部を有するコンタクトと、該コンタクトを保持するインシュレータとを含む表面実装用コネクタにおいて、前記インシュレータは、該インシュレータの長手方向の両端部におけるインシュレータ底面及びインシュレータ上面に、面取り部、段差部等の切除部を有し、前記インシュレータに変形が生じた場合に、前記切除部により、前記インシュレータ底面が前記基板から浮き上がらないように、かつ、前記インシュレータ底面が前記基板と強く接触しないように、しかも、前記インシュレータ上面が前記インシュレータの他の部分よりも突出しないように構成したことを特徴とする表面実装用コネクタ。
【発明の詳細な説明】
【０００１】
【発明の属する技術分野】
本発明は、回路基板等の基板上に表面実装される表面実装用コネクタに属する。
【０００２】
【従来の技術】
図８は従来の表面実装用コネクタの一例を示し、（ａ）は斜視図、（ｂ）は断面図、図９は従来の表面実装用コネクタの他の例を示し、（ａ）は斜視図、（ｂ）は断面図である。
【０００３】
図８及び図９に示すように、従来の基板上に実装するタイプの表面実装用コネクタ１は、基板５（図１０参照）に接続される端子部２１を有するコンタクト２と、このコンタクト２を保持するインシュレータ３とを含んで構成されている。
【０００４】
図８に示される表面実装コネクタ１は、接続対象物（例えば、ドーターボード、ＰＣカード、ＦＰＣ等）を、基板の実装面と平行な方向に沿って嵌合離脱させるタイプであり、図９に示される表面実装コネクタ１は、接続対象物（例えば、相手側コネクタ等）を、基板の実装面と直角な方向に沿って嵌合離脱させるタイプである。
【０００５】
表面実装用コネクタは、基板への実装時、熱風リフロー、ＩＲ等により基板のパッド上の物質を溶融してコンタクトの端子部を基板のパッドに電気的に接続することにより、図１０に示すように、基板５上に実装するように成っている。
【０００６】
【発明が解決しようとする課題】
このように、表面実装用コネクタを基板へ実装する際、熱リフロー等が行われるが、この時、パッド上の物質のみならず、インシュレータも加熱されてしまうので、インシュレータが熱により変形することが有り、図１１〜図１３に示すように、表面実装用コネクタ１の基板５への実装が正常に行われないことがあった。
【０００７】
図１１に示す状態は、インシュレータ３の両端部が基板５の方へ反り返って、表面実装用コネクタ１が基板５から浮き上がり、この結果、コンタクト２と基板５との間隔Ａが大きく成り、コンタクト２の基板５への接続が不完全に成ってしまった状態を示している。
【０００８】
図１２に示す状態は、インシュレータ３の両端部の反り返りが、図１１に示す状態よりも少なく、コンタクト２が基板５に電気的に接続されているが、表面実装用コネクタ１の実装時の高さＢが、規格よりも高く、プラスアウトと成ってしまった状態を示している。
【０００９】
図１３に示す状態は、コンタクト２が基板５に電気的に接続されているが、インシュレータ３の両端部が基板５から離れる方へ反り返り、この部分で、表面実装用コネクタ１の実装時の高さＢが規格よりも高く成り、プラスアウトと成ってしまった状態を示している。
【００１０】
以上のように、従来の表面実装用コネクタでは、実装時にインシュレータが変形して実装不良が発生することが有り、特に、インシュレータの強度及び剛性に乏しい低背コネクタでは、実装時にインシュレータが変形し易く、基板とコネクタ間の電気的接続不良や、実装後の製品高さ寸法がプラスアウトする等の実装不良が発生し易かった。
【００１１】
それ故に、本発明の課題は、実装時に実装不良を起こすことの無い表面実装用コネクタを提供することにある。
【００１２】
【課題を解決するための手段】
請求項１記載の発明によれば、基板上に実装するタイプの表面実装用コネクタであって、前記基板に接続される端子部を有するコンタクトと、該コンタクトを保持するインシュレータとを含む表面実装用コネクタにおいて、前記インシュレータは、該インシュレータの長手方向の両端部におけるインシュレータ底面に、面取り部、段差部等の切除部を有し、前記インシュレータに変形が生じた場合に、前記切除部により、前記インシュレータ底面が前記基板から浮き上がらないように、かつ、前記基板と強く接触しないように構成したことを特徴とする表面実装用コネクタが得られる。
【００１３】
請求項２記載の発明によれば、基板上に実装するタイプの表面実装用コネクタであって、前記基板に接続される端子部を有するコンタクトと、該コンタクトを保持するインシュレータとを含む表面実装用コネクタにおいて、前記インシュレータは、該インシュレータの長手方向の両端部におけるインシュレータ上面に、面取り部、段差部等の切除部を有し、前記インシュレータに変形が生じた場合に、前記切除部により、前記インシュレータ上面が前記インシュレータの他の部分よりも突出しないように構成したことを特徴とする表面実装用コネクタが得られる。
【００１４】
請求項３記載の発明によれば、基板上に実装するタイプの表面実装用コネクタであって、前記基板に接続される端子部を有するコンタクトと、該コンタクトを保持するインシュレータとを含む表面実装用コネクタにおいて、前記インシュレータは、該インシュレータの長手方向の両端部におけるインシュレータ底面及びインシュレータ上面に、面取り部、段差部等の切除部を有し、前記インシュレータに変形が生じた場合に、前記切除部により、前記インシュレータ底面が前記基板から浮き上がらないように、かつ、前記インシュレータ底面が前記基板と強く接触しないように、しかも、前記インシュレータ上面が前記インシュレータの他の部分よりも突出しないように構成したことを特徴とする表面実装用コネクタが得られる。
【００１５】
【発明の実施の形態】
次に、本発明の実施の形態について図面を参照して説明する。図１は本発明の第１の実施形態に係る表面実装用コネクタの側面図、図２は図１に示す表面実装用コネクタの実装後の側面図である。図１及び図２を参照して、この表面実装用コネクタ１は、基板５上に実装して使用するタイプの表面実装用コネクタである。この表面実装用コネクタ１は、複数のコンタクト２と、インシュレータ３とから成る。
【００１６】
各コンタクト２は、端子部２１と、接続対象物に接触して導通する接触部（図示せず）と、インシュレータ３に固定される部分である固定部（図示せず）とを有している。端子部２１は、基板５に設けられたパッド（図示せず）に電気的に接続される。この接続は、例えば、予めパッドに塗布されたクリーム半田を、熱リフローにより溶融し、このクリーム半田で端子部２１をパッドに半田付けすることにより行われる。
【００１７】
インシュレータ３は、複数のコンタクト２を所定間隔で保持している。このインシュレータ３は、矩形の板状を呈している。
【００１８】
このインシュレータ３は、この長手方向の両端部におけるインシュレータ底面（基板側の面）に、切除部である面取り部３１を有している。この面取り部３１によって、図２に示すように、実装時にインシュレータ３の両端部が基板５の方へ反り返っても、インシュレータ３の両端部のインシュレータ底面が基板５と強く接触しないようにしてあり、これにより、表面実装用コネクタ１の基板５からの浮上りを防止している。
【００１９】
このように、本実施形態は、実装時にインシュレータ３の端部が基板５の方へ反り返る傾向があるものに対処したものである。
【００２０】
図３は本発明の第２の実施形態に係る表面実装用コネクタの側面図である。本実施形態は、第１の実施形態と略同構成であるので、第１の実施形態と構成の同じ部分或いは同様の部分については、第１の実施形態と同じ参照番号を付し、その説明を省略する。
【００２１】
図３を参照して、本実施形態も、第１の実施形態と同様に、実装時にインシュレータ３の端部が基板５の方へ反り返る傾向があるものに対処したものである。
【００２２】
本実施形態では、インシュレータ３の長手方向の両端部におけるインシュレータ底面に、切除部として段差部３２が形成されている。この段差部３２によって、実装時にインシュレータ３の両端部が基板５の方へ反り返っても、インシュレータ３の両端部のインシュレータ底面が基板５と強く接触しないようにしてある。
【００２３】
尚、以上のように、第１の実施形態では、切除部としてインシュレータ３の両端部の底面に面取り部３１が形成され、第２の実施形態では、切除部としてインシュレータ３の両端部の底面に段差部３２が形成されているが、この切除部は、面取り部３１や段差部３２に限られず、基板との強い接触を避ける形状のものであれば良い。
【００２４】
図４は本発明の第３の実施形態に係る表面実装用コネクタの側面図、図５は図４に示す表面実装用コネクタの実装後の側面図である。本実施形態の基本的な構成は、第１の実施形態と同じであるので、第１の実施形態と構成の同じ部分或いは同様の部分については、第１の実施形態と同じ参照番号を付し、その説明を省略する。
【００２５】
図４及び図５を参照して、本実施形態は、実装時にインシュレータ３の端部が基板５から離れる方へ反り返る傾向があるものに対処したものであり、この表面実装用コネクタ１のインシュレータ３は、その長手方向両端部におけるインシュレータ上面（基板側面と反対側面）に、切除部である面取り部３１を有している。この面取り部３１によって、図５に示すように、実装時にインシュレータ３の両端部が基板５から離れる方へ反り返っても、インシュレータ３の両端部のインシュレータ上面がこのインシュレータ３の他の部分よりも突出しないようにしてあり、これにより、実装後の表面実装用コネクタ１の高さＢが、規格を超えないようにしてある。
【００２６】
図６は本発明の第４の実施形態に係る表面実装用コネクタの側面図である。本実施形態は、第３の実施形態と略同構成であるので、第３の実施形態と構成の同じ部分或いは同様の部分については、第３の実施形態と同じ参照番号を付し、その説明を省略する。
【００２７】
図６を参照して、本実施形態も、第３の実施形態と同様に、実装時にインシュレータ３の端部が基板５から離れる方へ反り返る傾向があるものに対処したものである。
【００２８】
本実施形態では、インシュレータ３の長手方向の両端部におけるインシュレータ上面に、切除部として段差部３２が形成されている。この段差部３２によって、実装時にインシュレータ３の両端部が基板５から離れる方へ反り返っても、インシュレータ３の両端部のインシュレータ上面がこのインシュレータ３の他の部分よりも突出しないようにしてある。
【００２９】
尚、以上のように、第３の本実施形態では、切除部としてインシュレータ３の両端部の上面に面取り部３１が形成され、第４の実施形態では、切除部としてインシュレータ３の両端部の上面に段差部３２が形成されているが、この切除部は、面取り部３１や段差部３２に限られず、実装時にインシュレータ３の両端部が基板５から離れる方へ反り返っても、インシュレータ３の両端部のインシュレータ上面がこのインシュレータ３の他の部分よりも突出しないような形状のものであれば良い。
【００３０】
図７は本発明の第５の実施形態に係る表面実装用コネクタの側面図である。本実施形態の基本的な構成は、第１の実施形態と同じであるので、第１の実施形態と構成の同じ部分或いは同様の部分については、第１の実施形態と同じ参照番号を付し、その説明を省略する。
【００３１】
図７を参照して、本実施形態は、実装時にインシュレータ３の端部が基板５の方へ反り返っても、或いは基板から離れる方へ反り返っても、どちらでも構わないように、対処したものである。
【００３２】
従って、本実施形態では、インシュレータ３は、その長手方向両端部におけるインシュレータ底面に段差部３２を有し、更に、その長手方向両端部におけるインシュレータ上面に、面取り部３１を有しており、この段差部３２及び面取り部３２により、実装時にインシュレータ３に変形が生じた場合に、インシュレータ底面が基板と強く接触したり、インシュレータ上面がインシュレータ３の他の部分よりも突出しないようにしてある。
【００３３】
【発明の効果】
本発明の表面実装用コネクタは、実装時にインシュレータが変形しても、電気的接続不良やプラスアウト等の実装不良を防止することができる。
【図面の簡単な説明】
【図１】本発明の第１の実施形態に係る表面実装用コネクタの側面図である。
【図２】図１に示す表面実装用コネクタの実装後の側面図である。
【図３】本発明の第２の実施形態に係る表面実装用コネクタの側面図である。
【図４】本発明の第３の実施形態に係る表面実装用コネクタの側面図である。
【図５】図４に示す表面実装用コネクタの実装後の側面図である。
【図６】本発明の第４の実施形態に係る表面実装用コネクタの側面図である。
【図７】本発明の第５の実施形態に係る表面実装用コネクタの側面図である。
【図８】従来の表面実装用コネクタの一例を示し、（ａ）は斜視図、（ｂ）は断面図である。
【図９】従来の表面実装用コネクタの他の例を示し、（ａ）は斜視図、（ｂ）は断面図である。
【図１０】従来の表面実装用コネクタが基板に正常に実装された状態を示す側面図である。
【図１１】従来の表面実装用コネクタにおける実装不良の第１の例を示す側面図である。
【図１２】従来の表面実装用コネクタにおける実装不良の第２の例を示す側面図である。
【図１３】従来の表面実装用コネクタにおける実装不良の第３の例を示す側面図である。
【符号の説明】
１  表面実装用コネクタ
２  コンタクト
２１  端子部
３  インシュレータ
３１  面取り部
３２  段差部
５  基板
【図１】
0003569843.tif 000002
【図２】
0003569843.tif 000003
【図３】
0003569843.tif 000004
【図４】
0003569843.tif 000005
【図５】
0003569843.tif 000006
【図６】
0003569843.tif 000007
【図７】
0003569843.tif 000008
【図８】
0003569843.tif 000009
【図９】
0003569843.tif 000010
【図１０】
0003569843.tif 000011
【図１１】
0003569843.tif 000012
【図１２】
0003569843.tif 000013
【図１３】
0003569843.tif 000014